(57)【要約】【課題】  相互接続性を維持しつつ認証機構を取り入れた医療情報配信システムを実現する。【解決手段】  院内の所定の科に配置された医療画像サーバと、前記所定の科を含む院内の他の科及び各種医療機関の医療画像ビューアがネットワークを介して接続された医療情報配信システムにおいて、ＤＩＣＯＭの通信プロトコルでサポートされているＴＬＳを用いて認証を行い前記医療画像サーバに格納された情報を公開するように構成した。【選択図】                    図１
2005092416.tif 000002
【特許請求の範囲】
【請求項１】
院内の所定の科に配置された医療画像サーバと、前記所定の科を含む院内の他の科及び各種医療機関の医療画像ビューアがネットワークを介して接続された医療情報配信システムにおいて、ＤＩＣＯＭの通信プロトコルでサポートされているＴＬＳを用いて認証を行い前記医療画像サーバに格納された情報を公開するように構成したことを特徴とする医療情報配信システム。
【請求項２】
前記ＴＬＳのうちＸ．５０９証明書の属性証明部に厚生労働省から発行された医師免許の免許番号や看護師免許の免許番号を記載したことを特徴とする請求項１記載の医療情報配信システム。
【請求項３】
前記医師免許の免許番号や看護師免許の免許番号を公的機関に登録された番号と照合した後認証を行うようにしたことを特徴とする請求項１または２記載の医療情報配信システム。
【請求項４】
認証の重要度に応じて公開情報を制御するようにしたことを特徴とする請求項１乃至４のいずれかに記載の医療情報配信システム。
【請求項５】
前記医療画像サーバに接続したログ機能を設け、医療画像サーバに対するアクセス情報を保存するように構成したことを特徴とする請求項１乃至４のいずれかに記載の医療情報配信システム。
【発明の詳細な説明】
【技術分野】
【０００１】
本発明は、医療機関で作成される医療情報の配信システムに関し、ＣＴ等のモダリティで発生した放射線科の医療画像を通信回線を経由して配信する医療情報配信システムに関する。
【背景技術】
【０００２】
医用機器の進歩と情報処理技術の進歩により、ＣＴ、ＭＲ、ＤＲ、ＲＩ、ＤＳＡ等の様々なモダリティで生成した医療画像を、ＬＡＮ等の通信回線を経由してサーバに保存し、この保存した画像を通信回線経由で端末から医師が観察することにより、診断を行い、所見データを画像とともにサーバに一元管理することが可能となってきている。
【０００３】
このようなシステムは、ＰＡＣＳ（ピクチャーアーカイブ・コミュニケーション）と呼ばれ、比較的規模の大きな病院では、放射線科内で発生した医療画像を中心として、広く用いられている。
【０００４】
また、ＰＡＣＳの浸透にともない、医療画像データの形式についても、ＤＩＣＯＭという標準規格が確立され、現在では多くのモダリティがＤＩＣＯＭ対応となっている。
【０００５】
このような医療システムに関連する先行技術文献としては次のようなものがある。
【０００６】
【特許文献１】特開２０００−３０６０１８号公報
【特許文献２】特開２００２−２３０１６５号公報
【特許文献３】特開２００３−２１６４９６号公報
【０００７】
図３はこのような医療情報配信システムの従来例を示すブロック構成図である。
図において、Ａは例えば放射線科に配置された医療画像サーバであり、この医療画像サーバＡには放射線科で撮影されたＣＴ、ＭＲ画像やレントゲン画像などの医療画像が格納されている。
【０００８】
Ｂは同じ放射線科に配置された医療画像ビューアであり、医療画像サーバＡとはＤＩＣＯＭ通信プロトコルで接続され、格納された情報を取り出すようになっている。
【０００９】
上記格納された情報を取り出すに際しては医療画像サーバＡはクライアントである医療画像ビューアＢのアプリケーション名（AETITLE）を特定することで通信相手を認証している。
【００１０】
Ｃは同病院の他の診療科に配置された医療画像ビューアであり、この医療画像ビューアＣと医療画像サーバＡとの接続を行う場合もユーザ名やパスワードなどの独自プロトコルにて個人またはグループを認証後、ＤＩＣＯＭ通信プロトコルで接続をおこなっていた。その場合、接続できるユーザＧはアクセス制限がなく全てのデータを参照することができていた。
【００１１】
また、Ｄは他の病院に配置された医療画像ビューアであり、この場合も接続を行う場合はユーザ名やパスワードなどの独自プロトコルにて個人またはグループを認証後、ＤＩＣＯＭ通信プロトコルで接続をおこなっていた。その場合、接続できるユーザＧはアクセス制限がなく全てのデータを参照することができていた。
【発明の開示】
【発明が解決しようとする課題】
【００１２】
しかし、アプリケーション名（AETITLE）での認証方式ではどのアプリケーション（医療画像ビューア）が接続したかを判別することはできるが、誰が接続しどのようなデータを閲覧したかを判別ですることはできなかった。
【００１３】
また、ユーザ名とパスワードを使用した認証においてもパスワードの漏洩の危険性を伴うとともに、独自プロトコルを導入することで相互接続性を高めるために作成されたＤＩＣＯＭ通信プロトコルが無意味になるという問題があった。
【００１４】
従って本発明が解決しようとする課題は、個人情報の集まりである医療画像サーバに格納されたデータをサーバに接続できるユーザ全てに公開することなく、認証の度合いに応じた情報の公開を目的とし、ＤＩＣＯＭ通信プロトコルでサポートされているＴＬＳ（Transport  layer  Seculity・・・暗号通信）の認証機構を利用することで相互接続性を維持しつつ認証機構を取り入れた医療情報配信システムを実現することにある。
【課題を解決するための手段】
【００１５】
このような課題を達成するために、本発明のうち請求項１記載の発明は、
院内の所定の科に配置された医療画像サーバと、前記所定の科を含む院内の他の科及び各種医療機関の医療画像ビューアがネットワークを介して接続された医療情報配信システムにおいて、ＤＩＣＯＭの通信プロトコルでサポートされているＴＬＳを用いて認証を行い前記医療画像サーバに格納された情報を公開するように構成したことを特徴とする。
【００１６】
請求項２記載の発明は、請求項１記載の医療情報配信システムにおいて、
前記ＴＬＳのうちＸ．５０９証明書の属性証明部に厚生労働省から発行された医師免許の免許番号や看護師免許の免許番号を記載したことを特徴とする。
【００１７】
請求項３記載の発明は、請求項１または２記載の医療情報配信システムにおいて、
前記医師免許の免許番号や看護師免許の免許番号を公的機関に登録された番号と照合した後認証を行うようにしたことを特徴とする。
【００１８】
請求項４記載の発明は、請求項１乃至３のいずれかに記載の医療情報配信システムにおいて、
認証の重要度に応じて公開情報を制御するようにしたことを特徴とする。
【００１９】
請求項５記載の発明は、請求項１乃至４のいずれかに記載の医療情報配信システムにおいて、
前記医療画像サーバに接続したログ機能を設け、医療画像サーバに対するアクセス情報を保存するように構成したことを特徴とする請求項１乃至４のいずれかに記載の医療情報配信システム。
【発明の効果】
【００２０】
本発明によれば次のような効果がある。
請求項１乃至４に記載の発明によれば、ＤＩＣＯＭの通信プロトコルでサポートされているＴＬＳを用いて認証を行い、ＴＬＳのうちＸ．５０９証明書の属性証明部に厚生労働省から発行された医師免許の免許番号や看護師免許の免許番号を記載し、更に認証の重要度に応じて公開情報を制御するので、人物の認定度が高まり必要以上の情報の公開もしくは漏洩を防止できセキュリティ機能を高めることができる。
【００２１】
請求項５に記載の発明によれば、ログ機能を設け、医療画像サーバに対するアクセス情報を保存するように構成することにより（誰が、何時、何処から、何をしたか）というような情報をトレースすることができ、不正アクセスの低下を期待することができる。
【発明を実施するための最良の形態】
【００２２】
以下本発明を図面を用いて詳細に説明する。図１は本発明に係る医療情報配信システムの一例を示すブロック構成図である。なお、この図においては放射線科における医療画像サーバＡ’と医療画像ビューアＦの関係のみを示し、図３における他のビューアとの関係については省略する。
【００２３】
医療画像サーバＡ’には、画像サーバ手段Ｈが備えられており、この画像サーバ手段Ｈには証明書認証手段Ｉ、データアクセス制御手段J、画像格納手段Ｋ、ログ手段Ｌが接続されている。また、本発明においてはユーザはＸ．５０９証明書Ｅを用いて自身の証明を行う。
【００２４】
このＸ．５０９証明書の属性部分には個人・グループを特定する情報が記述されており、特に医療関係者の特定に関しては、厚生労働省から発行された医師免許や看護師免許の免許番号が記入されている。
【００２５】
データアクセス制御手段Jには認証のレベルに応じて公開情報を制御する機能が入力されており、画像格納手段Ｋには放射線科で撮影した画像情報が格納されている。
【００２６】
図において、医療画像ビューアＦが医療画像サーバＡ’に接続するに際してはユーザＧはＸ．５０９証明書の属性証明部に記載された情報をフロッピー（登録商標）やＩＣカード等を用いて証明書認証手段Ｉに送信する。
【００２７】
証明書認証手段Ｉがユーザを認証すると医師免許の免許番号や看護師免許の免許番号の記載を読取り、画像サ−バ手段Ｈに伝達する。画像サ−バ手段Ｈはデータアクセス制御手段Ｊに記録された記録制限情報を参照して、画像格納手段Ｋにアクセスし、公開できる画像情報を識別してユーザＧに送信する。
【００２８】
なお、他の診療科や他の病院からもＸ．５０９証明書に記入した属性の重要度に応じて医療画像サーバにアクセス可能であるが、証明書認証手段Ｉには属性の重要度に応じて引き出せる情報が予め決められており属性に応じて限られたものになる。
【００２９】
また、図では省略するが、属性に医師免許の免許番号や看護師免許の免許番号が記載されている場合は、証明書認証手段Ｉはその番号を厚生労働省が管理する機関に問い合わせ医師番号や看護師番号が取り消し処分になっていないかどうかを確かめた後、画像サーバ機能Ｈに伝達するようにしても良い。このように構成すればよりセキュリティの高い画像情報配信システムとなる。
【００３０】
また、本発明では画像サーバ手段にログ手段Lを備えているので誰が、何時、何処から、何をしたか）というような情報がアクセスの度に記録されるのでアクセス情報をトレースすることができ、不正アクセスの低下を期待することができる。
【００３１】
図２は他の実施例を示すもので、この例においては画像の替わりにカルテを電子化して電子カルテサーバに収納し、このサーバに対して同病院の他の診療科や外部の病院に配置された電子カルテビューアである。この場合も前述と同様Ｘ．５０９証明書に記入した属性の重要度に応じて医療画像サーバにアクセス可能とし、属性の重要度に応じて引き出せる情報を予め決めておき属性に応じた情報を得ることができる。
【図面の簡単な説明】
【００３２】
【図１】本発明に係る医療情報配信システムの一実施例を示すブロック構成図である。
【図２】本発明に係る医療情報配信システムの他の実施例を示すブロック構成図である。
【図３】従来の医療情報配信システムの一例を示すブロック構成図である
【符号の説明】
【００３３】
Ａ  医療画像サーバ
Ｂ，Ｃ，Ｄ，Ｆ  医療画像ビューア
Ｅ  Ｘ５０９証明書
Ｇ  ユーザ
Ｈ  画像サーバ手段
Ｉ  証明書認証手段
Ｊ  データアクセス制御手段
Ｋ  画像格納手段
Ｌ  ログ手段
【図１】
2005092416.tif 000003
【図２】
2005092416.tif 000004
【図３】
2005092416.tif 000005